(57)【特許請求の範囲】
【請求項１】
各々が複数スロットに時分割多重された複数のパスを介して、複数の移動端末装置に対してパス多重接続して信号の送受信を行なう無線基地システムであって、
前記複数のスロットのそれぞれに接続されている移動端末装置からの信号の受信タイミングを検知するための同期処理手段と、
前記複数の移動端末装置のうちの１つの移動端末装置から、複数の前記スロットに跨って信号の送受信をするためのチャネル割当て要求がされる場合、前記複数のスロットのうちの第１のスロットにおいて、第１のパスに対応する第１のチャネルに第１のチャネル割当て行なった後に、前記第１のスロットに隣接する他のスロット内のそれぞれにおいて、第２のチャネルに対する第２のチャネル割当てを行ない得る候補タイミングに対して、当該他のスロットにすでにパス多重接続している移動端末装置への送信タイミングを制御することで、前記第２のチャネル割当てのための区間を確保するためのチャネル割当て処理手段と、
前記チャネル割当て処理手段からの指示に応じて、パス多重接続している移動端末装置への送信タイミングを制御する送信タイミング制御手段とを備える、無線基地システム。
【請求項２】
前記チャネル割当て処理手段は、前記第１のチャネルに対する送信タイミングと前記第２のチャネルに対応する送信タイミングとを所定の規準タイミングに対して一致するように制御する、請求項１に記載の無線基地システム。
【請求項３】
前記チャネル割当て処理手段は、前記第２のチャネルに対する前記第２のチャネル割当てを行ない得る候補タイミングに対して、前記第１のスロットにおいて、すでにパス多重接続している移動端末装置への送信タイミングを制御することで、前記第２のチャネル割当てのための区間を確保する処理を行なう、請求項１に記載の無線基地システム。
【請求項４】
前記チャネル割当て処理手段は、前記他のスロットにすでにパス多重接続している移動端末装置への送信タイミングの制御および前記第１のスロットにおいてすでにパス多重接続している移動端末装置への送信タイミングの制御が終了した後に、前記第２のチャネル割当てを行なう、請求項３に記載の無線基地システム。
【請求項５】
前記送信タイミング制御手段は、前記第２のチャネル割当てのための送信タイミングの移動制御の開始時に、すでに送信タイミング値が移動中の移動端末装置が存在するスロットにおいては、当該移動端末装置に対するタイミング移動が完了した後に、前記第２のチャネル割当てのための送信タイミングの移動制御を開始する、請求項１〜４のいずれか１項に記載の無線基地システム。
【請求項６】
前記チャネル割当て処理手段は、前記第１のスロットに隣接する他のスロットのうち、いまだパス多重接続している移動端末装置が存在しないスロットに対して、優先的に前記第２のチャネル割当てを行なう、請求項１〜５のいずれか１項に記載の無線基地システム。
【請求項７】
前記送信タイミング制御手段は、前記他のスロットにすでにパス多重接続している移動端末装置への送信タイミングの制御および前記第１のスロットにおいてすでにパス多重接続している移動端末装置への送信タイミングの制御において、すでに他の移動端末装置に対して複数の前記スロットに跨って信号の送受信をするためのチャネル割当てが行なわれている場合、当該他の移動端末装置に対する送信タイミングは固定したままに維持する、請求項１〜６のいずれか１項に記載の無線基地システム。
【請求項８】
各々が複数スロットに時分割多重された複数のパスを介して、複数の移動端末装置に対してパス多重接続して信号の送受信を行なう無線基地システムにおけるチャネル割当て方法であって、
前記複数のスロットのそれぞれに接続されている移動端末装置からの信号の受信タイミングを検知するステップと、
前記複数の移動端末装置のうちの１つの移動端末装置から、複数の前記スロットに跨って信号の送受信をするためのチャネル割当て要求がされる場合、前記複数のスロットのうちの第１のスロットにおいて、第１のパスに対応する第１のチャネルに第１のチャネル割当て行なった後に、前記第１のスロットに隣接する他のスロット内のそれぞれにおいて、第２のチャネルに対する第２のチャネル割当てを行ない得る候補タイミングに対して、当該他のスロットにすでにパス多重接続している移動端末装置への送信タイミングを制御することで、前記第２のチャネル割当てのための区間を確保するステップとを備える、チャネル割当方法。
【発明の詳細な説明】
【０００１】
【発明の属する技術分野】
この発明は、無線基地システムおよびチャネル割当方法に関し、より特定的には、移動体通信システムにおいて複数の移動端末装置がパス多重接続することができる無線基地システム、およびそのような無線基地システムにおいてバンド幅の広いチャネル割当を行なうためのチャネル割当方法に関する。
【０００２】
【従来の技術】
近年、急速に発達しつつある移動体通信システム（たとえば、Personal Handyphone System：以下、ＰＨＳ）では、電波の周波数利用効率を高めるために、同一周波数の同一タイムスロットを空間的に分割することにより複数ユーザの移動端末装置を無線基地システムにパス多重接続させることができるＰＤＭＡ（Path Division Multiple Access）方式が提案されている。このＰＤＭＡ方式では、各ユーザの移動端末装置からの信号は、周知のアダプティブアレイ処理により分離抽出される。
【０００３】
図２０は、周波数分割多重接続（Frequency Division Multiple Access：ＦＤＭＡ），時分割多重接続（Time Division Multiple Access ：ＴＤＭＡ）および空間多重分割接続（ＰＤＭＡ）の各種の通信システムにおけるチャネルの配置図である。
【０００４】
図２０を参照して、ＦＤＭＡ，ＴＤＭＡおよびＰＤＭＡについて簡単に説明する。図２０（ａ）はＦＤＭＡを示す図であって、異なる周波数ｆ１〜ｆ４の電波でユーザ１〜４のアナログ信号が周波数分割されて伝送され、各ユーザ１〜４の信号は周波数フィルタによって分離される。
【０００５】
図２０（ｂ）に示すＴＤＭＡにおいては、各ユーザのデジタル化された信号が、異なる周波数ｆ１〜ｆ４の電波で、かつ一定の時間（タイムスロット）ごとに時分割されて伝送され、各ユーザの信号は周波数フィルタと基地局および各ユーザ移動端末装置間の時間同期とにより分離される。
【０００６】
一方、ＰＤＭＡ方式は、図２０（ｃ）に示すように、同じ周波数における１つのタイムスロットを空間的にも分割して複数のユーザのデータを伝送するものである。なお、図２０（ｃ）に示したようなパス多重数や時分割多重数は、あくまでも例示であって、システムの構成に応じて、これらの値は変更されるものである。
【０００７】
このようなＰＤＭＡ方式による移動体通信システムにおいては、各移動端末装置から送信された信号が無線基地局に到来する受信タイミング（同期位置とも称する）は、端末装置の移動による端末装置−基地局の距離の変化や、電波の伝搬路特性の変動など、種々の要因により変動する。
【０００８】
ＰＤＭＡ方式の移動体通信システムにおいて同一タイムスロットに複数のユーザの移動端末装置がパス多重接続している場合において、それぞれの移動端末装置からの受信信号の同期位置が上述の理由により変動して互いに近接したり、場合によっては時間的前後関係が交差したりすることがある。
【０００９】
同期位置が近づきすぎると、複数の移動端末装置からの受信信号同士の時間相関が高くなり、アダプティブアレイ処理によるユーザごとの信号抽出の精度が劣化することになる。このため、各ユーザに対する通話特性も劣化することになる。
【００１０】
また、ＰＨＳでは、各移動端末装置からの受信信号は、各フレームごとにすべてのユーザに共通の既知のビット列からなる参照信号（ユニークワード信号：ＵＷ信号）区間を含んでおり、複数ユーザの移動端末装置からの受信信号の同期位置が一致するようなことになれば、受信信号の参照信号区間が重なってユーザ同士を識別分離することができなくなり、ユーザ間の混信（いわゆるＳＷＡＰ）を引き起こすこととなる。
【００１１】
【発明が解決しようとする課題】
このような通話のためにチャネルが割当てられる場合の他に、たとえば、ＰＨＳにおいては、データ通信用に、１つの端末に対して、６４Ｋｂｉｔ／ｓｅｃでデータ伝送するサービスが存在する。このようなサービスを行なうためには、以下のような伝送路の割当が行なわれる。すなわち、ＰＨＳでは、通話用に３スロットがＴＤＭＡ時間多重分割されており、各スロットで伝送可能なデータ量は、３２Ｋｂｉｔ／ｓｅｃの伝送レートに相当する。このうちの２スロットを使用すれば、上述したような３２×２＝６４Ｋｂｉｔ／ｓｅｃの伝送レートでデータ通信サービスを行なうことが可能となる。
【００１２】
すなわち、ＴＤＭＡ時間多重分割された各スロットには、通常の通話を行なうユーザと、上述したような２スロット分を使用する６４Ｋｂｉｔ／ｓｅｃ伝送のデータ受信を行なうユーザに対する割当が同時に行なわれる場合がある。したがって、この場合にも、ユーザ同士の識別分離を良好に行ないつつ、ユーザ間の混信の発生を抑制するように制御することが必要である。ただし、このような制御は、単に通話を行なっているユーザに対してのみチャネル割当をする場合に比べて、より困難になる可能性があるという問題がある。
【００１３】
それゆえに、この発明の目的は、同一のタイムスロットに通話用のユーザと、複数のタイムスロットに跨るデータ通信用のユーザとがパス多重接続している場合において、複数のユーザの移動端末装置の通話特性の劣化やユーザ間の混信を抑制することができる無線基地システムおよびチャネル割当方法を提供することである。
【００１４】
【課題を解決するための手段】
この発明によれば、各々が複数スロットに時分割多重された複数のパスを介して、複数の移動端末装置に対してパス多重接続して信号の送受信を行なう無線基地システムは、複数のスロットのそれぞれに接続されている移動端末装置からの信号の受信タイミングを検知するための同期処理手段と、複数の移動端末装置のうちの１つの移動端末装置から、複数のスロットに跨って信号の送受信をするためのチャネル割当て要求がされる場合、複数のスロットのうちの第１のスロットにおいて、第１のパスに対応する第１のチャネルに第１のチャネル割当て行なった後に、第１のスロットに隣接する他のスロット内のそれぞれにおいて、第２のチャネルに対する第２のチャネル割当てを行ない得る候補タイミングに対して、当該他のスロットにすでにパス多重接続している移動端末装置への送信タイミングを制御することで、第２のチャネル割当てのための区間を確保するためのチャネル割当て処理手段と、チャネル割当て処理手段からの指示に応じて、パス多重接続している移動端末装置への送信タイミングを制御する送信タイミング制御手段とを備える。
【００１５】
好ましくは、チャネル割当て処理手段は、第１のチャネルに対する送信タイミングと第２のチャネルに対応する送信タイミングとを所定の規準タイミングに対して一致するように制御する。
【００１６】
好ましくは、チャネル割当て処理手段は、第２のチャネルに対する第２のチャネル割当てを行ない得る候補タイミングに対して、第１のスロットにおいて、すでにパス多重接続している移動端末装置への送信タイミングを制御することで、第２のチャネル割当てのための区間を確保する処理を行なう。
【００１７】
より好ましくは、チャネル割当て処理手段は、他のスロットにすでにパス多重接続している移動端末装置への送信タイミングの制御および第１のスロットにおいてすでにパス多重接続している移動端末装置への送信タイミングの制御が終了した後に、第２のチャネル割当てを行なう。
【００１８】
より好ましくは、送信タイミング制御手段は、第２のチャネル割当てのための送信タイミングの移動制御の開始時に、すでに送信タイミング値が移動中の移動端末装置が存在するスロットにおいては、当該移動端末装置に対するタイミング移動が完了した後に、第２のチャネル割当てのための送信タイミングの移動制御を開始する。
【００１９】
より好ましくは、チャネル割当て処理手段は、第１のスロットに隣接する他のスロットのうち、いまだパス多重接続している移動端末装置が存在しないスロットに対して、優先的に第２のチャネル割当てを行なう。
【００２０】
より好ましくは、送信タイミング制御手段は、他のスロットにすでにパス多重接続している移動端末装置への送信タイミングの制御および第１のスロットにおいてすでにパス多重接続している移動端末装置への送信タイミングの制御において、すでに他の移動端末装置に対して複数のスロットに跨って信号の送受信をするためのチャネル割当てが行なわれている場合、当該他の移動端末装置に対する送信タイミングは固定したままに維持する。
【００２１】
この発明の他の局面によれば、各々が複数スロットに時分割多重された複数のパスを介して、複数の移動端末装置に対してパス多重接続して信号の送受信を行なう無線基地システムにおけるチャネル割当て方法は、複数のスロットのそれぞれに接続されている移動端末装置からの信号の受信タイミングを検知するステップと、複数の移動端末装置のうちの１つの移動端末装置から、複数のスロットに跨って信号の送受信をするためのチャネル割当て要求がされる場合、複数のスロットのうちの第１のスロットにおいて、第１のパスに対応する第１のチャネルに第１のチャネル割当て行なった後に、第１のスロットに隣接する他のスロット内のそれぞれにおいて、第２のチャネルに対する第２のチャネル割当てを行ない得る候補タイミングに対して、当該他のスロットにすでにパス多重接続している移動端末装置への送信タイミングを制御することで、第２のチャネル割当てのための区間を確保するステップとを備える。
【００２２】
【発明の実施の形態】
以下、この発明の実施の形態を図面を参照して詳しく説明する。なお、図中同一または相当部分には同一符号を付してその説明は繰り返さない。
【００２３】
図１は、この発明による無線基地システム１０００の全体構成を示す機能ブロック図である。
【００２４】
図１を参照して、無線基地システムの複数本、たとえば４本のアンテナ１，２，３，４で受信された複数ユーザの移動端末装置からの信号は、対応する送受信回路５，６，７，８のそれぞれのＲＦ回路５ａ，６ａ，７ａ，８ａで受信処理が施され、さらにＡ／ＤおよびＤ／Ａ変換機９，１０，１１，１２でデジタル信号に変換される。
【００２５】
デジタル信号に変換されたそれぞれのアンテナからの４系統の受信信号は、サーキュレータ１３を介してデジタルシグナルプロセッサ（ＤＳＰ）１４に与えられる。破線１４で表わされたＤＳＰの内部は、ＤＳＰによってソフトウェア的に実行される処理を機能ブロック図で示したものである。
【００２６】
サーキュレータ１３を介してＤＳＰ１４に与えられた４系統の受信信号は、受信処理部１５の同期処理部１５ａに与えられる。同期処理部１５ａは、周知の同期位置推定方法により、当該無線基地システムにパス多重接続している複数ユーザ（この例ではユーザ１およびユーザ２）からのそれぞれの受信信号の同期位置を高精度に推定する。
【００２７】
同期窓制御部１５ｂは、ユーザごとの推定された同期位置に基づいて同期窓を設定し、この発明による同期窓制御を実行する。この同期窓制御については後でさらに説明する。
【００２８】
次に、受信信号に対してアダプティブアレイ処理部１５ｃにより周知のアダプティブアレイ処理が施され、ユーザ１および２用の算出されたウェイトを用いて、ユーザ１および２の受信信号が分離抽出される。
【００２９】
分離抽出されたユーザごとの信号は、検波部１５ｄで復調され、ユーザ１および２の復調データとしてＤＳＰ１４から出力される。
【００３０】
一方、ユーザ１および２の送信すべきデータ（音声データなど）は、ＤＳＰ１４の送信処理部１６の変調処理部１６ａに与えられる。変調処理部１６ａで変調されたユーザ１および２のデータは、それぞれ乗算器１６ｂ，１６ｃの一方入力に与えられる。
【００３１】
また、乗算器１６ｂ，１６ｃの他方入力には、アダプティブアレイ処理部１５ｃで算出されたユーザ１および２用のウェイトが与えられ、ユーザ１および２のデータの送信指向性が決定される。
【００３２】
乗算器１６ｂ，１６ｃのそれぞれの出力は、送信タイミング調整処理部１６ｄに与えられる。送信タイミング調整処理部１６ｄは、同期処理部１５ａから与えられるユーザ１および２用の受信タイミングに基づいてチャネル割当て処理部２０が生成する送信タイミングの制御信号に対応して、ユーザ１および２のデータ送信のタイミングを調整する。
【００３３】
送信信号合成処理部１６ｅは、ユーザ１および２の送信信号を合成し、図中１本の矢印で示す４系統の送信信号に変換し、サーキュレータ１３を介してＡ／ＤおよびＤ／Ａ変換機９，１０，１１，１２に配分する。Ａ／ＤおよびＤ／Ａ変換機９，１０，１１，１２でアナログ信号に変換された４系統の送信信号は、対応する送受信回路５，６，７，８のそれぞれのＲＦ回路５ａ，６ａ，７ａ，８ａで送信処理が施され、対応するアンテナ１，２，３，４を介して移動端末装置に向かって送出される。
【００３４】
送信タイミング調整処理部１６ｄが行なう送信タイミングの制御について、以下にさらに詳しく説明する。
【００３５】
上述したとおり、ＰＤＭＡ方式では、同一タイムスロットにパス多重接続されている複数のユーザの移動端末装置の受信タイミングが近接したり交差することがないように、これらの移動端末装置の受信タイミングを制御する必要がある。
【００３６】
移動端末装置からの受信タイミングを制御する方法としては、無線基地システム１０００から移動端末装置への送信タイミングを制御することが有効である。つまり、ユーザごとの送信タイミングの制御により、ユーザごとの受信タイミングを制御することができる。
【００３７】
たとえばＰＨＳのような移動体通信システムにおいて無線基地システム１０００と移動端末装置との間の信号の送受信のタイミングについては、移動端末装置は、無線基地システム１０００から信号を受信してから所定時間後に、無線基地システムに向けて信号を送信することが規格で決められている。
【００３８】
すなわち、無線基地システム１０００において各ユーザごとに信号送信のタイミングをずらせば、対応する各移動端末装置ごとに信号受信のタイミングがずれることになる。したがって、各移動端末装置から無線基地システム１０００に信号を送信するタイミングも移動端末装置ごとにずれることになる。
【００３９】
結果として、無線基地システム１０００における各移動端末装置からの信号受信のタイミングは移動端末装置ごとにずれることになる。
【００４０】
このように、無線基地システム１０００において、各移動端末装置ごとに信号送信のタイミングを制御することにより、間接的に無線基地システムにおける各移動端末装置からの受信タイミングを制御することができ、ひいては受信タイミング同士が離れるように受信タイミングを制御することが可能である。
【００４１】
ＰＤＭＡ方式の移動体通信システムにおいて、各タイムスロットに多重接続するユーザの数、すなわちパス多重度が増大し、しかも、複数のスロットに跨って同一ユーザにチャネル割当てを行なうとすると、各スロット内における送信タイミングに許容されるマージンが小さくなる。その結果、受信タイミングの近接や交差が起こりうる事態となる。以下の説明で明らかとなるように、無線基地システム１０００では、同一のタイムスロットにパス多重接続している複数ユーザの移動端末装置に対する送信タイミング間隔をできるだけ広く取ることにより、通話特性の劣化やユーザ間の混信を抑制することが可能となる。
【００４２】
したがって、通常呼をパス多重させる場合、送信タイミング調整処理部１６ｄは、たとえば、パス多重接続している移動端末装置の数が所定数以上のスロットについては、当該スロットの送信タイミング設定可能区間内において、当該スロットにパス多重接続している移動端末装置への送信タイミング間隔が最大となるようにパス多重接続している移動端末装置への送信タイミングを制御し、パス多重接続している移動端末装置の数が所定数未満のスロットについては、当該スロットの送信タイミング設定可能区間内において、新規な移動端末装置に送信タイミングを割当てるための区間を確保するように、当該スロットにパス多重接続している移動端末装置への送信タイミングを制御し、かつ、接続を要求している新規な移動端末装置への送信タイミングを、確保された区間に割当てる。
【００４３】
図２は、本発明において、移動端末装置とＰＤＭＡ基地局１０００との間で授受される信号の構成を説明するための概念図である。
【００４４】
１フレームの信号は８スロットに分割され、前半の４スロットがたとえば受信用であり後半の４スロットがたとえば送信用である。
【００４５】
各スロットは１２０シンボルから構成され、図２に示した例では、１つの受信用および１つの送信用のスロットを１組として最大で４ユーザに対して１フレームの信号を割当てられている。
【００４６】
また、各フレームについては、上述したユニークワード信号（参照信号）区間を含み、巡回符号による誤り検出（ＣＲＣ：cyclic redundancy check）が可能な構成となっているものとする。
【００４７】
さらに、図１において説明したとおり、同一タイムスロットに複数のユーザの移動端末装置がパス多重接続している場合において、それぞれの移動端末装置からの受信信号の受信タイミングをずらすことで各ユーザを識別するために、基地局１０００から各端末に対しての送信タイミングが、基準となる送信タイミングからずらされているものとする。
【００４８】
次に、図３を参照して、この発明による無線基地システムにおける同期窓制御方法の原理について説明する。
【００４９】
図３は、ある一つのタイムスロット内におけるタイミング図であり、当該タイムスロット内におけるユーザ１および２の受信信号の到来タイミングすなわち同期位置を示している。
【００５０】
この発明によれば、各ユーザの到来タイミングすなわち同期位置を中心として、その前後にαシンボルの区間を同期窓として設定する。そして次の受信タイミングにおいて、この同期窓以外のタイミングにおける受信は同期位置として認めない、すなわち当該信号の受信は不許可とするものである。
【００５１】
一般に、移動端末装置の移動によって受信タイミングが刻々と変化することはあるが、いきなり全く異なるタイミングに飛ぶようなことはなく、そのようなタイミングで受信することがあれば、なんらかのエラーによるものと考えられ、受信を不許可にすることが望ましい。
【００５２】
そこで、この発明では、図３に示すように、各ユーザの同期位置はフレームごとにある程度は変動し、また完全に正確に推定できない場合もあることを考慮して、当該フレームで推定された同期位置を中心に所定時間長の同期窓を設け、次の受信タイミングで、すなわち次の受信信号フレームで、設定されている同期窓の範囲内のみを同期位置とみなし、それ以外のタイミングを同期位置とはみなさず、そのようなタイミングでの受信を不許可とするようにしたものである。
【００５３】
図３に示すように、一つのタイムスロットに複数のユーザ１および２がパス多重接続している場合、２つの同期位置が存在し、対応して２つの同期窓が存在する。従来技術の説明で述べたように、複数のユーザの同期位置同士が近接したり、交差したりすると、通話特性の劣化や、混信の原因となる。
【００５４】
そこで、無線基地システム１０００では、同期位置同士の近接や交差を防止するために、複数のユーザの同期窓同士が重なり合うことを禁止するよう同期窓制御を行なっている。
【００５５】
［２つの通話スロットを使用するデータ通信へのチャネル割当］
チャネル割当て処理部２０と送信タイミング調整処理部１６ｄとが、同一のタイムスロットに通話用のユーザ（通常呼）と、複数のタイムスロットに跨るデータ通信用のユーザとをパス多重接続させる場合の処理について、以下に詳しく説明する。
【００５６】
いままでの説明では、１スロット当り２人のユーザをパス多重により割当てる場合について説明した。
【００５７】
以下の説明では、１つのタイムスロット当り３つまでのパス多重が可能であり、ユーザを識別するための送信タイミングとしては、ｉ）先頭側、ii）中央位置、iii）最後尾側の３つのタイミングが存在するものとする。ただし、パス多重の可能な自由度に応じて、このような送信タイミング位置の候補の個数を増減させることも可能である。また、以下の説明では、先頭のスロット０には、制御チャネル信号が割当てられ、後続の３つのスロット、スロット１〜スロット３には情報チャネル信号（通話あるいはデータ通信のための信号）が割当てられているものとする。
【００５８】
図４は、以上の構成において、２つの通常呼（通話のための呼または３２Ｋｂｉｔ／ｓｅｃでのデータ伝送のための呼）に対してチャネル割当が行なわれている状態を示す概念図である。
【００５９】
図４においては、スロット１の最後尾側に第１の通常呼が割当てられており、スロット３の先頭側の送信タイミングに第２の通常呼が割当てられているものとする。
【００６０】
以下では、図４に示したようなチャネル割当が既に行なわれている状態で、２つの通話スロットを使用して、６４Ｋｂｉｔ／ｓｅｃ伝送を行なうためのチャネル割当を行なう場合を例として考察する。
【００６１】
このように、２つの通話スロットに跨って６４Ｋｂｉｔ／ｓｅｃ伝送でのデータ通信を行なう場合、端末側では、２つの通話スロットでの送信タイミングおよび受信タイミング位置を同一として処理する。これは、もしも２つのスロットのそれぞれにおいて送信タイミングおよび受信タイミング位置を異なった位置とすると、その制御が極めて煩雑となるためである。
【００６２】
このため、逆にいえば、２スロット個々に、端末受信時のタイミングが異なるようなチャネル割当では、６４Ｋｂｉｔ／ｓｅｃ伝送を行なうことはできない。したがって、基地局からの送信タイミングは２スロットで同一とする必要がある。
【００６３】
一方、空間多重を実現するＰＤＭＡ通信技術により、ＰＨＳを構成している場合、ＰＨＳのユニークワードは、上述したとおり、個々のユーザに対応して複数存在するわけではないため、同一スロット内で多重するユーザ同士のタイミング差を設ける必要がある。
【００６４】
そこで、図４のような状態において、６４Ｋｂｉｔ／ｓｅｃ伝送を行なう場合は、良好なチャネル割当の可能性として、以下の２つの場合がある。
【００６５】
図５は、図４の場合のチャネル割当に加えて、６４Ｋｂｉｔ／ｓｅｃ伝送を行なう場合のチャネル割当の第１の例を示す概念図である。
【００６６】
図５においては、タイムスロット１とタイムスロット２の先頭側の送信タイミングに６４Ｋｂｉｔ／ｓｅｃ伝送のためのチャネル割当（以下、６４Ｋ呼と呼ぶ）の割当が行なわれている。
【００６７】
一方、図６は、図４の状態のチャネル割当に加えて、６４Ｋ呼の割当を行なう他の例を示す概念図である。
【００６８】
図６に示した例においては、スロット２およびスロット３の最後尾側の送信タイミングに６４Ｋ呼の割当が行なわれている。
【００６９】
以上のように、６４Ｋ呼の割当を行なった場合、図５および図６のいずれの場合においても、パス多重分割が行なわれているタイムスロットが発生する。したがって、パス多重呼同士のＤＤ比条件（多重されている２ユーザからの所望波の強度比の条件）、空間相関値条件（多重されている２ユーザからの所望波の到来方向の条件）等の制約により、６４Ｋ呼接続ができない可能性がある。したがって、以下に説明するように、いずれのチャネル割当が最適であるかの探索を行ないつつ、最適なチャネル割当を、ＤＳＰ内処理でのチャネル割当処理において実行する必要がある。
【００７０】
［６４Ｋ呼接続のための原則］
６４Ｋ呼接続を行なう場合、２つの通話スロットのうち、まず１つ目の通話スロットに対してチャネルの割当が行なわれる。以下では、このような最初に割当が行なわれるチャネルを、「第１ＴＣＨ」と呼び、そのようなチャネル接続を「第１ＴＣＨ接続」と呼ぶことによる。
【００７１】
これに対して、６４Ｋ呼接続において、２つ目の通話スロットを「第２ＴＣＨ」と呼び、このような第２ＴＣＨの接続を行なうことを「第２ＴＣＨ接続」と呼ぶことにする。
【００７２】
以下に説明するように、６４Ｋ呼接続を行なう場合は第２ＴＣＨ接続を行なう前に、その候補となるスロット内の既通話ユーザの送信タイミングを移動させて、複数のスロットにおいて第２ＴＣＨの接続が可能な状態をより多く生成した後に、より性能のよいと考えられる方のスロットを探索し、第２ＴＣＨ接続を行なう。このようなチャネル割当方法を取ることで、第２ＴＣＨの接続確率や受信特性が向上し、実効伝送レートを向上させることが可能となる。
【００７３】
新規に多重状態を作成する場合、安定した特性を得ることを目的として、既通話ユーザと新規ユーザの電力差、空間相関値、ＲＳＳＩレベル（無線基地システム１０００が受信した移動端末装置からのタイムスロットごとの電波の電界強度）、受信タイミング差等により制限を設ける必要がある。これらの制限の存在は、第２ＴＣＨ接続が可能な候補スロットに対する第２ＴＣＨ接続確率に影響を与える。
【００７４】
そこで、上述したように、既通話ユーザや既に接続された第１ＴＣＨの送信タイミングを移動させることで、第２ＴＣＨ接続のための候補スロットをなるべく多く生成し、結果としてすべての制限条件をクリアして新規多重接続が可能となるような状態を増加させることとする。
【００７５】
以下では、このような既通話ユーザや第１ＴＣＨ呼（１つ目の通話スロット）の送信タイミングの移動に対して、以下のような原則の下でその処理を行なうこととする。
【００７６】
ｉ）  既通話ユーザや第１ＴＣＨ呼の送信タイミングの移動を行なう場合、送信タイミングの移動中に新規接続を行なうと、第１、第２ＴＣＨのタイミングずれや、多重ユーザ同士の送信タイミングの近接化や、制御の複雑化等が発生する。このため、新規割当は送信タイミング移動が完了した後に行なうものとする。
【００７７】
ii）  また、このような送信タイミングの移動制御の開始前に、既に送信タイミング値が移動中のユーザがいるスロットにおいては、そのユーザのタイミング移動が完了した後に６４Ｋ呼接続のための制御をはじめることとする。このような制御をすることで、チャネル割当のための送信タイミングの制御の複雑化を回避することができる。
【００７８】
iii）  さらに、空きスロット（無多重スロット）においては、多重スロットより高品質な特性を得やすいことが予想されるため、空きスロットに対しては優先的に割当を行なう。
【００７９】
iv）  また、他の６４Ｋ呼が当該スロット（第１ＴＣＨまたは第２ＴＣＨ接続候補スロット）内で、既に接続中の場合、その呼のタイミングを移動する制御は難しい。それは、第１ＴＣＨまたは第２ＴＣＨのタイミングを同一化しておく必要があるため、移動させる場合は同時に動かす必要があることと、それらの処理は個々のスロット内ユーザ状況が違うことで別処理となり、そのような制御が煩雑化することが理由として挙げられる。そこで、当該スロット内に他の６４Ｋ呼が存在している場合は、送信タイミングの移動は、その６４Ｋ呼のタイミング移動を行なわないで可能な範囲においてのみ移動を行なうという制御を行なう。
【００８０】
［送信タイミング移動可能な範囲］
以下では、以上説明したような制御の原則の下で、第１ＴＣＨ呼および第２ＴＣＨ呼の送信タイミングの移動可能な範囲についてさらに詳しく考察する。
【００８１】
図７は、送信タイミング値の最後尾側に既に他の多重ユーザが存在する場合に、送信タイミングの先頭側に割当てられた第１ＴＣＨ呼の送信タイミング値の移動可能な範囲を説明するための概念図である。
【００８２】
以下では、第１ＴＣＨ呼を黒丸で表わし、他の多重ユーザを白丸で表わし、他の６４Ｋユーザを白三角で表わすことにする。
【００８３】
図７において、既に送信タイミング値の最後尾に他の多重ユーザがいるため、この他の多重ユーザの送信タイミングの近傍は、このユーザと近接しすぎると判断される領域であって、第１ＴＣＨ呼を移動させることができない。
【００８４】
したがって、第１ＴＣＨ呼は、送信タイミング値の先頭部から、他の多重ユーザと近接しすぎないため移動が許可されると考えられる送信タイミング位置ＰＬ２まで移動を行なうことが可能である。
【００８５】
図８は、他の多重ユーザと第１ＴＣＨ呼とがパス多重されている場合に、他の多重ユーザを移動させる制御を説明するための概念図である。
【００８６】
図８においては、送信タイミングの中央位置に他の多重ユーザが存在し、さらに送信タイミング値の先頭部に第１ＴＣＨ呼が割当てられているものとする。このとき、さらに第２ＴＣＨ呼を割当てる場合には、このタイムスロット内では第１ＴＣＨ呼と他のユーザの通常呼とはなるべく送信タイミングが離れていることが望ましい。
【００８７】
したがって、図８に示したような場合では、送信タイミングの中央位置に存在する他のユーザの通常呼は、移動できる最も離れた場所である、送信タイミング値の最後尾まで移動される。このような移動が行なわれた上で、第２ＴＣＨ呼の接続可能な候補の探索が行なわれる。
【００８８】
図９は、送信タイミングの中央位置に、既に６４Ｋ接続のユーザがパス多重されている場合の第１ＴＣＨ呼の移動可能な範囲を説明するための概念図である。
【００８９】
図９においては、６４Ｋ接続ユーザが送信タイミングの中央位置に存在するため、上述した原則により、この６４Ｋ接続ユーザの送信タイミングの移動は行なわない。したがって、送信タイミング値先頭部にいる第１ＴＣＨ呼の移動可能な範囲は、送信タイミング値先頭部から他の多重ユーザと近接しすぎないため、移動移動許可される位置である位置ＰＬ１までの範囲に限られる。現在想定している条件下では、送信タイミングとしては、送信タイミング値の先頭と、中央位置と、最後尾の３つの位置への割当しか想定されておらず、６４Ｋ接続ユーザの送信タイミングの移動は行なわない以上、図９のような状態では、第１ＴＣＨ呼の送信タイミングを、第２ＴＣＨ呼の割当のために、たとえば送信タイミング最後尾に移動させるということはできない。
【００９０】
さらに、以下では、第２ＴＣＨ呼の接続可能とされる範囲について説明する。図１０は、他の多重ユーザが、送信タイミング値の最後尾に存在する場合の第２ＴＣＨ呼の接続可能範囲を説明するための概念図である。
【００９１】
他の多重ユーザは、送信タイミング値の最後尾に割当られているため、第２ＴＣＨ接続は、送信タイミング値の先頭部から他の多重ユーザと近接しすぎないために第２ＴＣＨ接続が許可される位置にあるＰＬ２までの範囲において接続を行なうことができる。
【００９２】
送信タイミング値ＰＬ２から送信タイミング値の最後尾までの間は、他の多重ユーザと近接しすぎると判断されるため、第２ＴＣＨ接続を行なうことができない。
【００９３】
図１１は、送信タイミングの中央位置に他の多重ユーザが割当てられている場合に、第２ＴＣＨ接続の前に、このユーザの送信タイミングに対して行なわれる制御を説明するための概念図である。
【００９４】
図１１に示した例では、既に接続されている他のユーザの通常呼は送信タイミングの中央位置に存在しているが、第２ＴＣＨ呼の接続可能な候補の数を増加させるために、たとえば、このタイムスロット内では、この他のユーザの通常呼の送信タイミング位置は最後尾の位置まで移動させることが望ましい。このような移動を行なえば、第２ＴＣＨ呼は、送信タイミング値の先頭部から、他の多重ユーザと近接しすぎないため、第２ＴＣＨ接続が許可される送信タイミングのＰＬ２までの範囲について接続を行なうことが可能である。
【００９５】
すなわち、移動できるような他ユーザが既にタイムスロット内に存在している場合は、第２ＴＣＨ呼の接続可能な範囲を最も広くできるように既接続の通常呼の送信タイミングを移動させる。
【００９６】
図１１においては、既接続の通常呼を送信タイミング値の最後尾まで移動させることとしたが、他のタイムスロットの接続状況によっては、送信タイミング値の先頭部へ移動させることとしてもよい。
【００９７】
図１２は、同一のタイムスロット内に、既に２つの既接続の通常呼が存在する場合の制御を説明するための概念図である。
【００９８】
図１２（ａ）においては、送信タイミング値の先頭部に第１の通常呼が存在し、送信タイミング値の最後尾にも他の通常呼のユーザが存在しているものとする。
【００９９】
他のタイムスロットの状況に応じて、第２ＴＣＨ呼の接続可能領域をより多くするために、既接続の通常呼のうち送信タイミング値先頭部に存在する通常呼を移動させた方がよいと判断される場合は、送信タイミング値の先頭部に存在する通常呼を、送信タイミング値の最後尾に存在する通常呼と近接しすぎると判断される範囲であるＰＬ２の近傍まで移動させる。
【０１００】
その結果、送信タイミング値の先頭部から、他の多重ユーザと近接しすぎないため第２ＴＣＨ接続が許可される位置であるＰＬ１までの範囲が、第２ＴＣＨ接続の可能範囲となる。
【０１０１】
図１２（ｂ）は、同一のタイムスロット内に、既に２つの既接続の通常呼が存在する場合の他の制御を説明するための概念図である。
【０１０２】
一方で、他のタイムスロットの状況によっては、送信タイミング値先頭部にいる通常呼および送信タイミング値の最後尾にいる通常呼のいずれも移動を行なわない場合の方が第２ＴＣＨ呼の接続可能な候補がより多く存在する場合もある。
【０１０３】
図１２（ｂ）においては、送信タイミング値ＰＬ１から送信タイミング値ＰＬ２までの範囲が、他の多重ユーザと近接しすぎないため、第２ＴＣＨ接続が許可される範囲となる。
【０１０４】
図１３は、既に送信タイミング値の中央部に６４Ｋ接続ユーザの割当が行なわれている場合の、第２ＴＣＨ接続が許可される範囲を説明するための概念図である。
【０１０５】
上述したとおり、６４Ｋユーザの送信タイミング位置は、第２ＴＣＨ接続を行なうに当り、その前段階で移動させることは行なわない。
【０１０６】
したがって、図１３に示した状態では、送信タイミング値の先頭部から、他の多重ユーザと近接しすぎないため接続が許可され得る送信タイミング値ＰＬ１までの範囲が第２ＴＣＨ接続が許可される範囲である。また、送信タイミング値最後尾から、他の多重ユーザと近接しすぎないため、接続が許可される送信タイミング値ＰＬ２までの範囲も第２ＴＣＨ接続が許可される範囲となる。
【０１０７】
［第２ＴＣＨ接続の処理］
以下では、以上のような原則の下で、具体的にＰＨＳにおいて、６４Ｋ通信が確立するまでのシーケンスをその手続を示すフローチャートに従って説明する。
【０１０８】
処理の概要を説明すると、まず、１つ目の通話スロットを使用する呼（３２Ｋ）が発呼され、接続確立後に３２Ｋデータ通信が開始される。すなわち、上述したような第１ＴＣＨ呼に対する接続が確立されることになる。
【０１０９】
その後、端末側から２つ目の通話スロットを使用して、６４Ｋ通信を行なうための要求が基地局に送信される。このような６４Ｋ接続の要求を「第２ＴＣＨ追加要求」と呼ぶことにする。
【０１１０】
図１４は、このような第２ＴＣＨ追加要求が行なわれた後の無線基地システム１０００のチャネル割当て処理部２０での処理を説明するためのタイミングチャートである。
【０１１１】
図１４を参照して、第２ＴＣＨの追加要求が無線基地システム１０００において受信されると（ステップＳ１００）、続いて、第１ＴＣＨスロット内に送信タイミングが移動中のユーザがあるかないかの判断が行なわれる（ステップＳ１０２）。
【０１１２】
送信タイミング移動中のユーザがある場合は、移動完了まで待機状態となる（ステップＳ１０４）。待機完了後、次のステップＳ１０６に処理が移動する。
【０１１３】
一方、ステップＳ１０２において、第１ＴＣＨスロット内に送信タイミング移動中のユーザがない場合は、他の通話スロットにおいて空きスロット（他の多重ユーザが存在しないスロット）があるかないかの判断が行なわれる（ステップＳ１０６）。
【０１１４】
他の通話スロットで空きスロットがある場合、当該空きスロットに対して、第２ＴＣＨの接続が実行される。第２ＴＣＨ接続タイミングは、第１ＴＣＨの送信タイミングと合わせられる（ステップＳ１０８）。以上により、６４Ｋ接続が完了する（ステップＳ１３０）。
【０１１５】
一方、ステップＳ１０６において、他の通話スロットで空きスロットがない場合、続いて、第１ＴＣＨのタイミング移動許可範囲が調べられる。既通話ユーザ数、第１ＴＣＨ呼のタイミング、他の６４Ｋ呼の有無等により、第１ＴＣＨのタイミングを動かしてもよい範囲を調べることになる（ステップＳ１１０）。
【０１１６】
続いて、チャネル割当て処理部２０は、第１ＴＣＨ接続スロット以外の他の２スロットにおいて、第１には、送信タイミング移動中のユーザが存在するか否か、第２には、スロット内総ユーザ数が最大多重度以下であるか否か、について調べる。送信タイミング移動ユーザがあり、あるいはスロット内総ユーザ数が最大多重度数分いる場合は、そのスロットを第２ＴＣＨ接続候補スロットから除外する（ステップＳ１１２）。
【０１１７】
図１５は、図１４に続くチャネル割当て処理部２０での処理を説明するためのタイミングチャートである。
【０１１８】
続いて、他スロットは２スロットとも候補に残っているか否かの判定が行なわれる（ステップＳ１１４）。
【０１１９】
他のスロットが２スロットとも候補に残っている場合、他の２スロットからの最適ポイントのサーチが行なわれる（ステップＳ１１６）。すなわち、両方のスロットで、第１ＴＣＨと同じ送信タイミング位置に第２ＴＣＨ接続ＯＫとなるポイントを探すことになる。
【０１２０】
一方、ステップＳ１１４において、他のスロットが２スロットとも候補に残ってはいない場合、続いて、他スロット中１スロットが候補に残っているか否かの判定が行なわれる（ステップＳ１１８）。
【０１２１】
他スロット中１スロットが候補に残っている場合、他の１スロットからの最適ポイントのサーチが行なわれる（ステップＳ１２０）。ここでは、最適な第２ＴＣＨ接続ポイントを他の１スロット内において探索することになる。
【０１２２】
一方、他スロット中、１スロットも候補に残っていない場合、すなわちすべてのスロットについて候補スロットが存在しない場合は、送信タイミングの移動を行なうことなく、処理は終了し、第２ＴＣＨ接続を拒否する（ステップＳ１２２）。
【０１２３】
図１６および図１７は、図１５に示した処理のうち、他の２スロットからの最適ポイントサーチを行なうステップＳ１１６の処理を説明するためのフローチャートである。
【０１２４】
図１６を参照して、他の２スロットからの最適ポイントサーチの処理が開始されると（ステップＳ２００）、他のスロットのうちの１つ（スロットＸと呼ぶ）内に他の６４Ｋ接続ユーザがいるかいないかの判定が行なわれる（ステップＳ２０２）。
【０１２５】
スロットＸ内に他の６４Ｋ接続ユーザがいる場合、このスロットＸにおいて、第２ＴＣＨ接続許可ポイントを見付ける処理が行なわれる（ステップＳ２０４）。
【０１２６】
一方、ステップＳ２０２において、スロットＸ内に他の６４Ｋ接続ユーザがいない場合は、現在空いているポイントを、第２ＴＣＨ接続許可ポイントとする（ステップＳ２０６）。
【０１２７】
ここまでの処理で、スロットＸ内の第２ＴＣＨ接続許可ポイントの候補の探索が完了する。
【０１２８】
引続いて、他のもう１つのスロット（スロットＹと呼ぶ）内に６４Ｋ接続ユーザがいるかいないかの判断が行なわれる（ステップＳ２０８）。
【０１２９】
スロットＹ内に６４Ｋ接続ユーザが存在する場合、スロットＹにおいて、第２ＴＣＨ接続許可ポイントの探索が行なわれる（ステップＳ２１０）。
【０１３０】
一方、ステップＳ２０８において、スロットＹ内に６４Ｋ接続ユーザがいない場合、現在空いている接続可能ポイントを、第２ＴＣＨ接続許可ポイントとする（ステップＳ１１２）。
【０１３１】
続いて、図１７を参照して、自スロット（第１ＴＣＨが接続されているスロット）の第１ＴＣＨ移動許可ポイントと、他スロットＸ、Ｙの第２ＴＣＨ許可ポイントとにおいて、送信タイミングが一致するポイントがあるか否かの判定が行なわれる（ステップＳ２１４）。
【０１３２】
自スロットの第１ＴＣＨ移動許可ポイントと、他スロットＸ，Ｙの第２ＴＣＨ許可ポイントで送信タイミングが一致するポイントがある場合、そのポイントを目的ポイントとして、各スロットで、既に接続されている呼の送信タイミングの移動処理を開始する。ここで、候補ポイントが複数ある場合は、他ユーザとのタイミングが最も離れているポイントを選択する。
【０１３３】
一方、ステップＳ２１４において、他スロットＸ，Ｙの双方において第２ＴＣＨ許可ポイントが一致するポイントがない場合は、続いて、自スロットの第１ＴＣＨ移動許可ポイントと他スロットＸまたはＹの第２ＴＣＨ許可ポイントが送信タイミングにおいて一致するポイントがあるか否かの判定が行なわれる（ステップＳ２１８）。
【０１３４】
他スロットＸまたはＹに第２ＴＣＨ許可ポイントと送信タイミングにおいて一致するポイントがある場合、そのポイントを目的ポイントとして、各スロットで送信タイミングの移動制御が開始される。複数ある場合、すなわち自スロットと他スロットＸ、自スロットと他スロットＹにおいて送信タイミングを一致させ得るポイントがある場合は、他スロットＸ，Ｙのうちでユーザ数の少ない方を優先的に採用する。ユーザ数も同一の場合は、他ユーザとのタイミングが最も離れているスロットを選択することにする（ステップＳ２２０）。
【０１３５】
一方、ステップＳ２１８において、自スロットの第１ＴＣＨ移動許可ポイントと、他スロットＸまたはＹの第２ＴＣＨ許可ポイントとの送信タイミングが一致するポイントがない場合は、移動しても第２ＴＣＨ接続ができないことが判明するため、ここで処理が終了する。これに応じて、第２ＴＣＨ接続が拒否される（ステップＳ２２２）。
【０１３６】
図１８は、図１５に示した処理のうち、他の１スロットからの最適ポイントサーチを行なうステップＳ１２０の処理をより詳細に説明するためのタイミングチャートである。
【０１３７】
図１８を参照して、他の１スロットからの最適ポイントサーチの処理が開始されると（ステップＳ３００）、続いて、候補の他のスロット内に他の６４Ｋ接続ユーザがいるかいないかの判定が行なわれる（ステップＳ３０２）。
【０１３８】
候補の他のスロット内に他の６４Ｋ接続ユーザがいる場合、当該他スロット内において第２ＴＣＨ接続許可ポイントの探索が行なわれる（ステップＳ３０４）。
【０１３９】
一方、ステップＳ３０２において、候補となる他スロット内に他の６４Ｋ接続ユーザがいない場合、現在空いているポイントを、第２ＴＣＨ接続許可ポイントとする（ステップＳ３０６）。
【０１４０】
続いて、自スロットの第１ＴＣＨ移動許可ポイントと、他スロットの第２ＴＣＨ許可ポイントから送信タイミングにおいて一致するポイントがあるか否かの判定が行なわれる（ステップＳ３０８）。
【０１４１】
一致するポイントがある場合、そのポイントを目的ポイントとして各スロットで移動処理が開始される。当該他スロット中において複数の候補が存在する場合は、他ユーザとのタイミングが最も離れているポイントを選択する（ステップＳ３１０）。
【０１４２】
一方、ステップＳ３０８において、一致するポイントが存在する場合は、移動処理を行なっても、第２ＴＣＨ接続が不可能なことが判明するので、ここで処理が終了する。これに応じて、第２ＴＣＨ接続が拒否される（ステップＳ３１２）。
【０１４３】
図１９は、図１７または図１８において示した候補ポイントを目的ポイントとして各スロットでの送信タイミングの移動処理を行なう場合の制御を説明するためのフローチャートである。
【０１４４】
図１９を参照して、目的ポイントとする各スロットでの移動処理が開始されると（ステップＳ４００）、自スロットにおいて、第１ＴＣＨがポイントに来ているか否かの判断が行なわれる（ステップＳ４０２）。
【０１４５】
第１ＴＣＨが目的ポイントに来ていない場合、第１ＴＣＨ呼を動かす前に、他ユーザの移動の必要があるかの判断が行なわれる（ステップＳ４０４）。
【０１４６】
他のユーザの移動を行なう必要がある場合は、他のユーザの移動処理を行なう（ステップＳ４０６）。この場合、制御を容易とするために、移動は１ユーザごとに順に行なうものとする。続いて、処理はステップＳ４０８に移行する。
【０１４７】
一方で、ステップＳ４０４で、第１ＴＣＨ呼を動かす前に他のユーザの移動の必要がない場合は、第１ＴＣＨユーザを目的ポイントに移動させる（ステップＳ４０８）。
【０１４８】
第１ＴＣＨユーザを目的ポイントに移動させた後、あるいはステップＳ４０２において自スロット内で第１ＴＣＨが目的ポイントに既に来ている場合は、続いて、他スロット内に他の６４Ｋ接続ユーザがいるかいないかの判断が行なわれる（ステップＳ４１０）。
【０１４９】
他の６４Ｋユーザがいる場合、第２ＴＣＨ接続予定タイミングに他のユーザがいるかいないかの判定が行なわれる（ステップＳ４１２）。
【０１５０】
第２ＴＣＨ接続予定タイミングに他のユーザがいる場合、他のユーザの移動処理を行なう（ステップＳ４１４）。この際、制御を容易とするために、移動は１ユーザごとに順に行なう。その後処理はステップＳ４１６に移行する。
【０１５１】
ステップＳ４１０において、他スロット内に他の６４Ｋ接続ユーザがいる場合、あるいはステップＳ４１２において第２ＴＣＨ接続予定タイミングに他のユーザがいない場合は、移動が完了する（ステップＳ４１６）。なお、候補の他のスロットが２個ある場合は、両方のスロットで以上説明したような処理を行なうものとする。
【０１５２】
移動完了後、第２ＴＣＨの接続が行なわれる（ステップＳ４１８）。
以上により６４Ｋ接続ユーザに対するチャネル割当が終了する（ステップＳ４２０）。
【０１５３】
なお、以上の説明は、ＰＤＭＡ多重時における６４Ｋ通信を行なうために、２スロットにわたって同一のユーザにチャネル割当を行なう構成について説明した。さらに、制御チャネルと通話３スロットを使用して、データ通信サービスを行なうこととすると、１２８Ｋｂｉｔ／ｓｅｃのデータ通信サービスを行なうことも可能である。
【０１５４】
この場合においても、使用するタイミングに既に接続している既多重ユーザの送信タイミングを移動させることで、このようなデータ通信サービスを行なうことが可能である。このとき、移動シーケンスは各多重呼ができるだけタイミングから離れるように移動させる。さらに、他の６４Ｋ伝送等の伝送が既に行なわれており、タイミング移動が難しいユーザの送信タイミングの移動は移動処理から除外するという原則に基づけば、上述したような６４Ｋ伝送時と同様に、１２８Ｋｂｉｔ／ｓｅｃのデータ通信においてもチャネル割当を行なうことが可能となる。
【０１５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１５６】
【発明の効果】
以上説明したとおり、本発明によれば、パス分割多重接続を行なう無線システムあるいはチャネル割当方法において、第１チャネルの接続が完了した後、第２チャネルの接続を行なう際に、既接続のユーザの送信タイミングをより良好な伝送度特性で接続可能な候補を生成した後に、第２チャネルの接続が行なわれる。このため、第２チャネルの接続確率や受信特性が向上し、実効的な伝送レートを向上させることが可能となる。
【図面の簡単な説明】
【図１】  無線基地システム１０００の全体構成を示す機能ブロック図である。
【図２】  移動端末装置とＰＤＭＡ基地局１０００との間で授受される信号の構成を説明するための概念図である。
【図３】  一つのタイムスロット内におけるタイミング図である。
【図４】  ２つの通常呼に対してチャネル割当が行なわれている状態を示す概念図である。
【図５】  図４の場合のチャネル割当に加えて、６４Ｋｂｉｔ／ｓｅｃ伝送を行なう場合のチャネル割当の第１の例を示す概念図である。
【図６】  図４の場合のチャネル割当に加えて、６４Ｋｂｉｔ／ｓｅｃ伝送を行なう場合のチャネル割当の第２の例を示す概念図である。
【図７】  送信タイミングの先頭側に割当てられた第１ＴＣＨ呼の送信タイミング値の移動可能な範囲を説明するための概念図である。
【図８】  他の多重ユーザと第１ＴＣＨ呼とがパス多重されている場合に、他の多重ユーザを移動させる制御を説明するための概念図である。
【図９】  既に６４Ｋ接続のユーザがパス多重されている場合の第１ＴＣＨ呼の移動可能な範囲を説明するための概念図である。
【図１０】  他の多重ユーザが、送信タイミング値の最後尾に存在する場合の第２ＴＣＨ呼の接続可能範囲を説明するための概念図である。
【図１１】  第２ＴＣＨ接続の前に、他の多重ユーザの送信タイミングに対して行なわれる制御を説明するための概念図である。
【図１２】  同一のタイムスロット内に、既に２つの既接続の通常呼が存在する場合の制御を説明するための概念図である。
【図１３】  ６４Ｋ接続ユーザの割当が行なわれている場合の、第２ＴＣＨ接続が許可される範囲を説明するための概念図である。
【図１４】  無線基地システム１０００のチャネル割当て処理部２０での処理を説明するためのタイミングチャートである。
【図１５】  図１４に続くチャネル割当て処理部２０での処理を説明するためのタイミングチャートである。
【図１６】  他の２スロットからの最適ポイントサーチを行なう処理を説明するための第１のフローチャートである。
【図１７】  他の２スロットからの最適ポイントサーチを行なう処理を説明するための第２のフローチャートである。
【図１８】  他の１スロットからの最適ポイントサーチを行なう処理をより詳細に説明するためのタイミングチャートである。
【図１９】  候補ポイントを目的ポイントとして各スロットでの送信タイミングの移動処理を行なう場合の制御を説明するためのフローチャートである。
【図２０】  周波数分割多重接続，時分割多重接続および空間多重分割接続の各種の通信システムにおけるチャネルの配置図である。
【符号の説明】
１，２，３，４  アンテナ、５，６，７，８  送受信回路、５ａ，６ａ，７ａ，８ａ  ＲＦ回路、９，１０，１１，１２  Ａ／ＤおよびＤ／Ａ変換機、１３  サーキュレータ、１４  ＤＳＰ、１５  受信処理部、１５ａ  同期処理部、１５ｂ  同期窓制御部、１５ｃ  アダプティブアレイ処理部、１５ｄ  検波部、１６送信処理部、１６ａ  変調処理部、１６ｂ，１６ｃ  乗算器、１６ｄ  送信タイミング調整処理部、１６ｅ  送信信号合成処理部、２０  チャネル割当て処理部。
【図１】
0003813448.tif 000002
【図２】
0003813448.tif 000003
【図３】
0003813448.tif 000004
【図４】
0003813448.tif 000005
【図５】
0003813448.tif 000006
【図６】
0003813448.tif 000007
【図７】
0003813448.tif 000008
【図８】
0003813448.tif 000009
【図９】
0003813448.tif 000010
【図１０】
0003813448.tif 000011
【図１１】
0003813448.tif 000012
【図１２】
0003813448.tif 000013
【図１３】
0003813448.tif 000014
【図１４】
0003813448.tif 000015
【図１５】
0003813448.tif 000016
【図１６】
0003813448.tif 000017
【図１７】
0003813448.tif 000018
【図１８】
0003813448.tif 000019
【図１９】
0003813448.tif 000020
【図２０】
0003813448.tif 000021